【手続補正書】
【提出日】平成15年9月17日(2003.9.17)
【手続補正１】
【補正対象書類名】明細書
【補正対象項目名】特許請求の範囲
【補正方法】変更
【補正の内容】
【特許請求の範囲】
【請求項１】
供給されたディジタル映像信号に、該ディジタル映像信号に基づく画像表示が行われる画像表示部の非線形表示特性に応じた信号レベルについての非線形処理による補正を行う非線形処理部と、
上記ディジタル映像信号を形成する各画素対応セグメントに、該画素対応セグメントに対応する上記画像表示部の表示画面における画素の水平方向及び垂直方向の位置及び該画素対応セグメントの信号レベルに応じた、信号レベルについての三次元補正を施す三次元補正部と、
上記非線形処理部から得られる補正されたディジタル映像信号と、上記三次元補正部から得られる三次元補正が加えられた画素対応セグメントから成る三次元補正されたディジタル映像信号とを合成する合成部と、
を備えて構成される非線形補正回路。
【請求項２】
入力されたアナログ映像信号を該アナログ映像信号に応じたディジタル映像信号に変換するアナログ／ディジタル変換部を備え、該アナログ／ディジタル変換部により、上記ディジタル映像信号が生成されることを特徴とする請求項１記載の非線形補正回路。
【請求項３】
上記三次元補正部が、上記ディジタル映像信号を形成する各画素対応セグメントに対応する画像表示部の表示画面における画素の水平方向及び垂直方向の位置を、上記表示画面上における複数の位置ブロックのうちの上記各画素が属する位置ブロック内の位置をもって検出するとともに、上記各画素対応セグメントの信号レベルを、上記ディジタル映像信号についての複数のレベルブロックのうちの上記各画素対応セグメントの信号レベルが属するレベルブロック内のレベルをもって検出し、検出された上記位置ブロック内の位置及び上記レベルブロック内のレベルに応じた、レベルについての三次元補正を上記各画素対応セグメントに施すことを特徴とする請求項１記載の非線形補正回路。
【請求項４】
上記三次元補正部が、上記ディジタル映像信号を形成する各画素対応セグメントに対応する画像表示部の表示画面における画素が属する位置ブロック内の位置、及び、上記各画素対応セグメントの信号レベルが属するレベルブロック内のレベルの検出を、上記画像表示部の表示画面における水平方向及び垂直方向に夫々対応する互いに直交する第１及び第２の座標軸、及び、上記各画素対応セグメントの信号レベルに対応する上記第１及び第２の座標軸の夫々に直交する第３の座標軸によって設定される座標空間を用いて行うことを特徴とする請求項３記載の非線形補正回路。
【請求項５】
上記三次元補正部が、上記第１，第２及び第３の座標軸によって設定される座標空間に、ディジタル映像信号を形成する各画素対応セグメントに対応する画像表示部の表示画面における画素が属する位置ブロック及び上記各画素対応セグメントの信号レベルが属するレベルブロックによって設定される直方体ブロックを想定し、該直方体ブロックについての８個の頂点の座標に基づいて、上記ディジタル映像信号を形成する各画素対応セグメントに対応する画像表示部の表示画面における画素が属する位置ブロック内の位置、及び、上記各画素対応セグメントの信号レベルが属するレベルブロック内のレベルの検出を行うことを特徴とする請求項４記載の非線形補正回路。
【請求項６】
供給されたディジタル映像信号に、該ディジタル映像信号に基づく画像表示が行われる画像表示部の非線形表示特性に応じた信号レベルについての非線形処理による補正を行う非線形処理部と、
上記ディジタル映像信号を形成する各画素対応セグメントに、該画素対応セグメントに対応する上記画像表示部の表示画面における画素の水平方向及び垂直方向の位置及び該画素対応セグメントの信号レベルに応じた信号レベルについての三次元補正を施す三次元補正部と、
上記非線形処理部から得られる補正されたディジタル映像信号と、上記三次元補正部から得られる三次元補正が加えられた画素対応セグメントから成る三次元補正されたディジタル映像信号とを合成する合成部と、
該合成部から得られる信号レベルについての非線形補正がなされたディジタル映像信号に基づく画像表示を行う画像表示部と、
を備えて構成される画像表示装置。
【請求項７】
入力されたアナログ映像信号を該アナログ映像信号に応じたディジタル映像信号に変換するアナログ／ディジタル変換部を備え、該アナログ／ディジタル変換部により、上記ディジタル映像信号が生成されることを特徴とする請求項６記載の画像表示装置。
【請求項８】
上記合成部から出力されるディジタル映像信号を該ディジタル映像信号に応じたアナログ映像信号に変換するディジタル／アナログ変換部を備え、上記画像表示部が、当該ディジタル／アナログ変換部から得られる上記ディジタル映像信号に応じた上記アナログ映像信号により画像の表示を行うことを特徴とする請求項６記載の画像表示装置。
【請求項９】
上記画像表示部が、上記ディジタル／アナログ変換部から得られる補正されたアナログ映像信号に基づく画像表示用駆動信号を形成する表示用駆動部と該表示用駆動部から得られる画像表示用駆動信号が供給される液晶表示パネル部とを備えて構成されることを特徴とする請求項８記載の画像表示装置。
【手続補正２】
【補正対象書類名】明細書
【補正対象項目名】００２８
【補正方法】変更
【補正の内容】
【００２８】
図１０に示される従来の画像表示装置の例の如くにディジタル映像信号についてのγ補正が行われる場合にあっても、斯かるγ補正は、液晶表示パネル部１８Ｒ，１８Ｇ及び１８Ｂの夫々に内蔵された液晶パネルにおいて得られる画像画面の全体に分布する画素の夫々に対応するディジタル映像信号の画素対応セグメントに対して、共通に行われることになってしまうという問題がある。即ち、例えば、液晶表示パネル部１８Ｒ，１８Ｇ及び１８Ｂの夫々に内蔵された液晶パネルにおいて得られる画像画面の中央部における画素に対応するディジタル映像信号の画素対応セグメントと、同画像画面の周辺部における画素に対応するディジタル映像信号の画素対応セグメントとに、同一の非線形特性に基づくγ補正が行われることになり、斯かるγ補正によっては、液晶表示パネル部１８Ｒ，１８Ｇ及び１８Ｂの夫々に内蔵された液晶パネルにおいて得られる画像画面における位置に応じた入力電圧−光透過率特性の相違については補正できない。


【手続補正３】
【補正対象書類名】明細書
【補正対象項目名】００３２
【補正方法】変更
【補正の内容】
【００３２】
非線形処理部２７Ｒは、液晶表示パネル部１８Ｒの表示特性、即ち、液晶表示パネル部１８Ｒに内蔵された液晶パネルの入力電圧−光透過率特性とは逆の関係となる非線形特性をあらわすことになる補正信号データテーブルを内蔵しており、ディジタル赤色原色信号ＤＲＢの信号レベルを、逐次、補正信号データテーブルに照合して、該当する補正信号データを読み出し、それらを信号レベルについての非線形処理による補正、即ち、γ補正がなされたディジタル赤色原色信号として導出する。また、二次元補正部３２Ｒは、アドレスデータ発生部３１からの水平アドレスデータＱＲＨ及び垂直アドレスデータＱＲＶが供給され、それらに応じて、非線形処理部２７Ｒから導出されるγ補正がなされたディジタル赤色原色信号における各画素対応セグメントの信号レベルを、当該画素対応セグメントに対応する液晶表示パネル部１８Ｒに内蔵された液晶パネルに得られる画像画面における画素の位置に応じて調整し、非線形処理部２７Ｒからのγ補正がなされたディジタル赤色原色信号の信号レベルについての補足調整を行う。


【手続補正４】
【補正対象書類名】明細書
【補正対象項目名】００３４
【補正方法】変更
【補正の内容】
【００３４】
また、非線形処理部２７Ｇは、液晶表示パネル部１８Ｇの表示特性、即ち、液晶表示パネル部１８Ｇに内蔵された液晶パネルの入力電圧−光透過率特性とは逆の関係となる非線形特性をあらわすことになる補正信号データテーブルを内蔵しており、ディジタル緑色原色信号ＤＧＢの信号レベルを、逐次、補正信号データテーブルに照合して、該当する補正信号データを読み出し、それらを信号レベルについての非線形処理による補正、即ち、γ補正がなされたディジタル緑色原色信号として導出する。また、二次元補正部３２Ｇは、アドレスデータ発生部３１からの水平アドレスデータＱＧＨ及び垂直アドレスデータＱＧＶが供給され、それらに応じて、非線形処理部２７Ｇから導出されるγ補正がなされたディジタル緑色原色信号における各画素対応セグメントの信号レベルを、当該画素対応セグメントに対応する液晶表示パネル部１８Ｇに内蔵された液晶パネルに得られる画像画面における画素の位置に応じて調整し、非線形処理部２７Ｇからのγ補正がなされたディジタル緑色原色信号の信号レベルについての補足調整を行う。


【手続補正５】
【補正対象書類名】明細書
【補正対象項目名】００３６
【補正方法】変更
【補正の内容】
【００３６】
さらに、非線形処理部２７Ｂは、液晶表示パネル部１８Ｂの表示特性、即ち、液晶表示パネル部１８Ｂに内蔵された液晶パネルの入力電圧−光透過率特性とは逆の関係となる非線形特性をあらわすことになる補正信号データテーブルを内蔵しており、ディジタル青色原色信号ＤＢＢの信号レベルを、逐次、補正信号データテーブルに照合して、該当する補正信号データを読み出し、それらを信号レベルについての非線形処理による補正、即ち、γ補正がなされたディジタル青色原色信号として導出する。また、二次元補正部３２Ｂは、アドレスデータ発生部３１からの水平アドレスデータＱＢＨ及び垂直アドレスデータＱＢＶが供給され、それらに応じて、非線形処理部２７Ｂから導出されるγ補正がなされたディジタル青色原色信号における各画素対応セグメントの信号レベルを、当該画素対応セグメントに対応する液晶表示パネル部１８Ｂに内蔵された液晶パネルに得られる画像画面における画素の位置に応じて調整し、非線形処理部２７Ｂからのγ補正がなされたディジタル青色原色信号の信号レベルについての補足調整を行う。


【手続補正６】
【補正対象書類名】明細書
【補正対象項目名】００４２
【補正方法】変更
【補正の内容】
【００４２】
斯かる点に鑑み、本願の特許請求の範囲における請求項１から請求項５までのいずれかに記載された発明は、例えば、画像表示部による画像表示に供されるアナログ映像信号にＡ／Ｄ変換がなされて得られるディジタル映像信号に、画像表示部の非線形特性を補正すべく、その信号レベルについての非線形処理による補正、及び、画像表示部に得られる画像画面上の位置に応じた信号レベルについての補足補正を含む非線形補正を施して、非線形補正が施されたディジタル映像信号を得るにあたり、その非線形補正が施されたディジタル映像信号を、画像表示部による画像表示に用いられるとき、元のアナログ映像信号におけるレベル変動に起因して生じる、画像表示部に得られる表示画面の不所望な輝度変動や色度変動をも補正できるものとなすことができる非線形補正回路を提供する。


【手続補正７】
【補正対象書類名】明細書
【補正対象項目名】００４３
【補正方法】変更
【補正の内容】
【００４３】
また、本願の特許請求の範囲における請求項６から請求項９までのいずれかに記載された発明は、上述の本願の特許請求の範囲における請求項１から請求項５までのいずれかに記載された発明に係る非線形補正回路を用いた画像表示装置を提供する。


【手続補正８】
【補正対象書類名】明細書
【補正対象項目名】００４４
【補正方法】変更
【補正の内容】
【００４４】
【課題を解決するための手段】
本願の特許請求の範囲における請求項１から請求項５までのいずれかに記載された発明に係る非線形補正回路は、供給されたディジタル映像信号に、それに基づく画像表示が行われる画像表示部の非線形表示特性に応じた信号レベルについての非線形処理による補正を行う非線形処理部と、ディジタル映像信号を形成する各画素対応セグメントに、その画素対応セグメントに対応する画像表示部の表示画面における画素の水平方向及び垂直方向の位置及びその画素対応セグメントの信号レベルに応じた、信号レベルについての三次元補正を加える三次元補正部と、非線形処理部から得られる補正されたディジタル映像信号と、三次元補正部から得られる三次元補正が加えられた画素対応セグメントから成る三次元補正されたディジタル映像信号とを合成する合成部とを備えて構成される。


【手続補正９】
【補正対象書類名】明細書
【補正対象項目名】００４５
【補正方法】変更
【補正の内容】
【００４５】
特に、本願の特許請求の範囲における請求項３に記載された発明に係る非線形補正回路にあっては、三次元補正部が、ディジタル映像信号を形成する各画素対応セグメントに対応する画像表示部の表示画面における画素の水平方向及び垂直方向の位置を、表示画面上における複数の位置ブロックのうちの各画素が属する位置ブロック内の位置をもって検出するとともに、各画素対応セグメントの信号レベルを、ディジタル映像信号についての複数のレベルブロックのうちの各画素対応セグメントの信号レベルが属するレベルブロック内のレベルをもって検出し、検出された位置ブロック内の位置及びレベルブロック内のレベルに応じた、レベルについての三次元補正を各画素対応セグメントに施すものとされる。


【手続補正１０】
【補正対象書類名】明細書
【補正対象項目名】００４６
【補正方法】変更
【補正の内容】
【００４６】
また、本願の特許請求の範囲における請求項６から請求項９までのいずれかに記載された発明に係る画像表示装置は、供給されたディジタル映像信号に、それに基づく画像表示が行われる画像表示部の非線形表示特性に応じた信号レベルについての非線形処理による補正を行う非線形処理部と、ディジタル映像信号を形成する各画素対応セグメントに、それに対応する画像表示部の表示画面における画素の水平方向及び垂直方向の位置及び画素対応セグメントの信号レベルに応じた、信号レベルについての三次元補正を加える三次元補正部と、非線形処理部から得られる補正されたディジタル映像信号と三次元補正部から得られる三次元補正が加えられた画素対応セグメントから成る三次元補正されたディジタル映像信号とを合成する合成部と、合成部から得られる信号レベルについての非線形補正がなされたディジタル映像信号に基づく画像表示を行う画像表示部とを備えて構成される。


【手続補正１１】
【補正対象書類名】明細書
【補正対象項目名】００４７
【補正方法】変更
【補正の内容】
【００４７】
上述の如くに構成される本願の特許請求の範囲における請求項１から請求項５までのいずれかに記載された発明に係る非線形補正回路にあっては、合成部によって、非線形処理部からの、ディジタル映像信号に基づく画像表示が行われる画像表示部の非線形表示特性に応じた、信号レベルについての非線形処理による補正が施されたディジタル映像信号に、三次元補正部からの、ディジタル映像信号を形成する各画素対応セグメントに、その画素対応セグメントに対応する画像表示部の表示画面における画素の水平方向及び垂直方向の位置及びその画素対応セグメントの信号レベルに応じた、信号レベルについての三次元補正が施されて得られる、三次元補正が加えられた画素対応セグメントから成る三次元補正されたディジタル映像信号が合成されることにより、信号レベルについての非線形補正がなされたディジタル映像信号が形成される。


【手続補正１２】
【補正対象書類名】明細書
【補正対象項目名】００４８
【補正方法】変更
【補正の内容】
【００４８】
このように、ディジタル映像信号についての非線形補正が、画像表示部の非線形表示特性に応じた信号レベルについての非線形処理による補正と、ディジタル映像信号を形成する各画素対応セグメントについての、それに対応する画像表示部の表示画面における画素の水平方向及び垂直方向の位置及びその画素対応セグメントの信号レベルに応じた、信号レベルについての三次元補正とを含むものとされることにより、その非線形補正が施されたディジタル映像信号が、例えば、画像表示部による画像表示に用いられる際には、画像表示部の表示画面における位置による表示特性の相違に起因する表示画面の不所望な変化のみならず、元の映像信号におけるレベル変動に起因して生じる、画像表示部に得られる表示画面の不所望な輝度変動や色度変動も、適正に補正される。


【手続補正１３】
【補正対象書類名】明細書
【補正対象項目名】００４９
【補正方法】変更
【補正の内容】
【００４９】
特に、本願の特許請求の範囲における請求項３に記載された発明に係る非線形補正回路にあっては、三次元補正部において、ディジタル映像信号を形成する各画素対応セグメントに対応する画像表示部の表示画面における画素の水平方向及び垂直方向の位置が、表示画面上における複数の位置ブロックのうちの各画素が属する位置ブロック内の位置をもって検出されるとともに、各画素対応セグメントの信号レベルが、ディジタル映像信号についての複数のレベルブロックのうちの各画素対応セグメントの信号レベルが属するレベルブロック内のレベルをもって検出され、検出された位置ブロック内の位置及びレベルブロック内のレベルに応じて、ディジタル映像信号を形成する各画素対応セグメントに関する信号レベルについての三次元補正が行われる。斯かるもとにあっては、当該三次元補正が、比較的小規模とされる回路構成をもって容易にかつ精度良く行われることになる。


【手続補正１４】
【補正対象書類名】明細書
【補正対象項目名】００５０
【補正方法】変更
【補正の内容】
【００５０】
また、上述の如くに構成される本願の特許請求の範囲における請求項６から請求項９までのいずれかに記載された発明に係る画像表示装置にあっては、上述の本願の特許請求の範囲における請求項１から請求項５までのいずれかに記載された発明に係る非線形補正回路が用いられ、斯かる非線形補正回路を構成する合成部から得られる、信号レベルについての非線形補正がなされたディジタル映像信号に基づく画像表示が画像表示部において行われる。それにより、画像表示部において得られる表示画像は、画像表示部の表示画面における位置による表示特性の相違に起因する表示画面の不所望な変化のみならず、元の映像信号におけるレベル変動に起因して生じる、画像表示部に得られる表示画面の不所望な輝度変動や色度変動も、適正に補正されたものとされる。


【手続補正１５】
【補正対象書類名】明細書
【補正対象項目名】００５９
【補正方法】変更
【補正の内容】
【００５９】
ディジタル非線形補正部４６における三次元補正部４８Ｒは、アドレスデータ発生部５５Ｒからの水平アドレスデータＱＲＨ及び垂直アドレスデータＱＲＶに応じて、ホワイトバランス調整部４３から得られるディジタル赤色原色信号ＤＲＢにおける各画素対応セグメントの信号レベルに、当該画素対応セグメントに対応する液晶表示パネル部５２Ｒに内蔵された液晶パネルに得られる画像画面における画素の水平方向及び垂直方向の位置、及び、ディジタル赤色原色信号ＤＲＢにおける当該画素対応セグメントの信号レベルに応じた三次元補正を施す。そして、三次元補正部４８Ｒから得られる、斯かる信号レベルについての三次元補正がなされた各画素対応セグメントにより形成される三次元補正ディジタル赤色原色信号ＤＲＳが、合成部４９Ｒに供給される。合成部４９Ｒにおいては、非線形処理部４７Ｒから得られる信号レベルについての非線形処理による補正が施されたディジタル赤色原色信号ＤＲＣと、三次元補正部４８Ｒから得られる信号レベルについての三次元補正が施された三次元補正ディジタル赤色原色信号ＤＲＳとが合成される。それにより、合成部４９Ｒからは、新規な非線形補正がなされたディジタル赤色原色信号ＤＲＤが送出される。


【手続補正１６】
【補正対象書類名】明細書
【補正対象項目名】００６１
【補正方法】変更
【補正の内容】
【００６１】
ディジタル非線形補正部４６における三次元補正部４８Ｇは、アドレスデータ発生部５５Ｇからの水平アドレスデータＱＧＨ及び垂直アドレスデータＱＧＶに応じて、ホワイトバランス調整部４３から得られるディジタル緑色原色信号ＤＧＢにおける各画素対応セグメントの信号レベルに、当該画素対応セグメントに対応する液晶表示パネル部５２Ｇに内蔵された液晶パネルに得られる画像画面における画素の水平方向及び垂直方向の位置、及び、ディジタル緑色原色信号ＤＧＢにおける当該画素対応セグメントの信号レベルに応じた三次元補正を施す。そして、三次元補正部４８Ｇから得られる、斯かる信号レベルについての三次元補正がなされた各画素対応セグメントにより形成される三次元補正ディジタル緑色原色信号ＤＧＳが、合成部４９Ｇに供給される。合成部４９Ｇにおいては、非線形処理部４７Ｇから得られる信号レベルについての非線形処理による補正が施されたディジタル緑色原色信号ＤＧＣと、三次元補正部４８Ｇから得られる信号レベルについての三次元補正が施された三次元補正ディジタル緑色原色信号ＤＧＳとが合成される。それにより、合成部４９Ｇからは、新規な非線形補正がなされたディジタル緑色原色信号ＤＧＤが送出される。


【手続補正１７】
【補正対象書類名】明細書
【補正対象項目名】００６３
【補正方法】変更
【補正の内容】
【００６３】
ディジタル非線形補正部４６における三次元補正部４８Ｂは、アドレスデータ発生部５５Ｂからの水平アドレスデータＱＢＨ及び垂直アドレスデータＱＢＶに応じて、ホワイトバランス調整部４３から得られるディジタル青色原色信号ＤＢＢにおける各画素対応セグメントの信号レベルに、当該画素対応セグメントに対応する液晶表示パネル部５２Ｂに内蔵された液晶パネルに得られる画像画面における画素の水平方向及び垂直方向の位置、及び、ディジタル青色原色信号ＤＢＢにおける当該画素対応セグメントの信号レベルに応じた三次元補正を施す。そして、三次元補正部４８Ｂから得られる、斯かる信号レベルについての三次元補正がなされた各画素対応セグメントにより形成される三次元補正ディジタル青色原色信号ＤＢＳが、合成部４９Ｂに供給される。合成部４９Ｂにおいては、非線形処理部４７Ｂから得られる信号レベルについての非線形処理による補正が施されたディジタル青色原色信号ＤＢＣと、三次元補正部４８Ｂから得られる信号レベルについての三次元補正が施された三次元補正ディジタル青色原色信号ＤＢＳとが合成される。それにより、合成部４９Ｂからは、新規な非線形補正がなされたディジタル青色原色信号ＤＢＤが送出される。


【手続補正１８】
【補正対象書類名】明細書
【補正対象項目名】００６５
【補正方法】変更
【補正の内容】
【００６５】
このような新規な非線形補正がなされたディジタル赤色原色信号ＤＲＤ，新規な非線形補正がなされたディジタル緑色原色信号ＤＧＤ、及び、新規な非線形補正がなされたディジタル青色原色信号ＤＢＤの夫々は、新規な非線形補正が、液晶表示パネル部５２Ｒ，５２Ｇもしくは５２Ｂに内蔵された液晶パネルの、例えば、図８に示される如くの入力電圧−光透過率特性を補正すべく行われる、信号レベルについての非線形処理による補正、即ち、γ補正と、ディジタル赤色原色信号ＤＲＢ，ディジタル緑色原書信号ＤＧＢもしくはディジタル青色原書信号ＤＢＢにおける各画素対応セグメントの信号レベルに対して行われる、当該画素対応セグメントに対応する液晶表示パネル部５２Ｒ，５２Ｇもしくは５２Ｂに内蔵された液晶パネルに得られる画像画面における画素の水平方向及び垂直方向の位置、及び、当該画素対応セグメントの信号レベルに応じた三次元補正とを含んだものとされることにより、例えば、Ｄ／Ａ変換がなされて液晶表示パネル部５２Ｒ，５２Ｇもしくは５２Ｂによる画像表示に用いられる際には、液晶表示パネル部５２Ｒ，５２Ｇもしくは５２Ｂに内蔵された液晶パネルのそれに得られる画像画面上の位置による表示特性の相違に起因する表示画面の不所望な変化のみならず、元のアナログ映像信号である赤色原色映像信号ＳＲ，緑色原色映像信号ＳＧもしくは青色原色映像信号ＳＢにおけるレベル変動に起因して生じる、表示画面の不所望な輝度変動や色度変動も、適正に補正されることになるものとされる。


【手続補正１９】
【補正対象書類名】明細書
【補正対象項目名】００７１
【補正方法】変更
【補正の内容】
【００７１】
液晶表示パネル部５２Ｒ，５２Ｇ及び５２Ｂに夫々得られる赤色原色画像，緑色原色画像及び青色原色画像の各々は、ディジタル非線形補正部４６から得られる新規な非線形補正がなされたディジタル赤色原色信号ＤＲＤ，新規な非線形補正がなされたディジタル緑色原色信号ＤＧＤ、もしくは、新規な非線形補正がなされたディジタル青色原色信号ＤＢＤに基づくことになるが、新規な非線形補正が、液晶表示パネル部５２Ｒ，５２Ｇもしくは５２Ｂに内蔵された液晶パネルの、例えば、図８に示される如くの入力電圧−光透過率特性を補正すべく行われる、信号レベルについての非線形処理による補正、即ち、γ補正と、ディジタル赤色原色信号ＤＲＢ，ディジタル緑色原色信号ＤＧＢもしくはディジタル青色原色信号ＤＢＢにおける各画素対応セグメントの信号レベルに対して行われる、当該画素対応セグメントに対応する液晶表示パネル部５２Ｒ，５２Ｇもしくは５２Ｂに内蔵された液晶パネルに得られる画像画面における画素の水平方向及び垂直方向の位置、及び、当該画素対応セグメントの信号レベルに応じた三次元補正とを含んだものとされることにより、液晶表示パネル部５２Ｒ，５２Ｇもしくは５２Ｂに内蔵された液晶パネルのそれに得られる画像画面上の位置による表示特性の相違に起因する表示画面の不所望な変化のみならず、元のアナログ映像信号である赤色原色映像信号ＳＲ，緑色原色映像信号ＳＧもしくは青色原色映像信号ＳＢにおけるレベル変動に起因して生じる、表示画面の不所望な輝度変動や色度変動も、適正に補正されるものとされる。


【手続補正２０】
【補正対象書類名】明細書
【補正対象項目名】００８０
【補正方法】変更
【補正の内容】
【００８０】
位置ブロック特定処理部７２は、液晶表示パネル部５２Ｒに内蔵された液晶パネル上に形成される画像画面を、例えば、図５に示される如く、互いに直交する座標軸Ｘ及び座値軸Ｙを夫々水平方向及び垂直方向に対応させて配し、座標軸Ｘ上における座標（Ｘ座標）が０からｐまでに亙るとともに座標軸Ｙ上における座標（Ｙ座標）が０からｑまでに亙る範囲に対応させてあらわし、Ｘ座標０とＸ座標１との間，Ｘ座標１とＸ座標２との間，Ｘ座標２とＸ座標３との間，・・・・・，Ｘ座標ｐ−１とＸ座標ｐとの間の各々と，Ｙ座標０とＹ座標１との間，Ｙ座標１とＹ座標２との間，Ｙ座標２とＹ座標３との間，・・・・・，Ｙ座標ｑ−１とＹ座標ｑとの間の各々とが交差する領域を、夫々、位置ブロック [１，１] ， [１，２] ， [１，３] ，・・・， [１，ｑ] ， [２，０] ，・・・， [２，ｑ] ， [３，０] ，・・・， [３，ｑ] ，・・・・・， [ｐ，０] ，・・・， [ｐ，ｑ] としたとき、アドレスデータ発生部５５Ｒからの水平アドレスデータＱＲＨ及び垂直アドレスデータＱＲＶに応じて、供給されたディジタル赤色原色信号ＤＲＢの各画素対応セグメントに対応する液晶表示パネル部５２Ｒに内蔵された液晶パネル上に形成される画像画面における画素（対応画素）が、位置ブロック [１，１] 〜位置ブロック [ｐ，ｑ] のうちのいずれに属するかを検知し、対応画素が属する、例えば、位置ブロック [ｉ，ｊ] （但し、ｉ及びｊは、１≦ｉ≦ｐ及び１≦ｊ≦ｑを満たす整数）を特定する。そして、位置ブロック特定処理部７２は、特定された位置ブロック [ｉ，ｊ] をあらわす一対の位置ブロックデータＤＸｉ及びＤＹｊを、位置ブロック内位置計算処理部７３，位置ブロック内補正データ形成部７４及び三次元補正データ形成部７０に送出する。


【手続補正２１】
【補正対象書類名】明細書
【補正対象項目名】００８５
【補正方法】変更
【補正の内容】
【００８５】
三次元補間処理部７１においては、レベルブロック内レベル計算処理部６６からの、ディジタル赤色原色信号ＤＲＢの信号レベルに対応するレベルをあらわすＺ座標ｚに関連したＺ座標差ａ及びａ’をあらわすＺ座標差データＤＺａ及びＤＺａ’、及び、位置ブロック内位置計算処理部７３からの、対応画素の位置ブロック [ｉ，ｊ] 内における位置をあらわすＸ座標とＹ座標とに夫々関連した、Ｘ座標差ｂ及びｂ’をあらわすＸ座標差データＤＸｂ及びＤＸｂ’とＹ座標差ｃ及びｃ’をあらわすＹ座標差データＤＹｃ及びＤＹｃ’との、合計６個の座標差データをパラメータとして、位置ブロック内補正データ格納レジスタ７６から読み出された合計８個の補正データＤＰＣ、即ち、８個の交点座標（ｉ−１，ｊ−１，(k-1) ），（ｉ−１，ｊ，(k-1) ) ，（ｉ，ｊ−１，(k-1) ），（ｉ，ｊ，(k-1) ），（ｉ−１，ｊ−１，ｋ），（ｉ−１，ｊ，ｋ) ，（ｉ，ｊ−１，ｋ），（ｉ，ｊ，ｋ）の夫々に対応する合計８個の補正データＤＰＣに関する三次元補間処理が行われて、対応画素を定めたディジタル赤色原色信号ＤＲＢの画素対応セグメントの信号レベルに関する三次元補正信号が形成され、それが三次元補間処理部７１から三次元補正ディジタル赤色原色信号ＤＲＳとして送出される。


【手続補正２２】
【補正対象書類名】明細書
【補正対象項目名】００９１
【補正方法】変更
【補正の内容】
【００９１】
なお、上述の例にあっては、画像表示部として液晶表示パネル部５２Ｒ，５２Ｇ及び５２Ｂが用いられているが、本願の特許請求の範囲における請求項１から請求項５までのいずれかに記載された発明に係る非線形補正回路による非線形補正がなされた信号が画像表示に供される画像表示部、さらには、本願の特許請求の範囲における請求項６から請求項９までのいずれかに記載された発明に係る画像表示装置に備えられる画像表示部として、液晶表示パネル部以外の各種の画像表示部を利用できること勿論である。


【手続補正２３】
【補正対象書類名】明細書
【補正対象項目名】００９２
【補正方法】変更
【補正の内容】
【００９２】
【発明の効果】
以上の説明から明らかな如く、本願の特許請求の範囲における請求項１から請求項５までのいずれかに記載された発明に係る非線形補正回路によれば、ディジタル映像信号についての非線形補正が、当該ディジタル映像信号が画像表示に供される画像表示部の非線形表示特性に応じた信号レベルについての非線形処理による補正と、ディジタル映像信号を形成する各画素対応セグメントについての、それに対応する画像表示部の表示画面における画素の水平方向及び垂直方向の位置及びその画素対応セグメントの信号レベルに応じた、信号レベルについての三次元補正とを含むものとされるので、非線形補正が施されたディジタル映像信号が、例えば、画像表示部による画像表示に用いられる祭には、画像表示部の表示画面における位置による表示特性の相違に起因する表示画面の不所望な変化のみならず、元の映像信号におけるレベル変動に起因して生じる、画像表示部に得られる表示画面の不所望な輝度変動や色度変動も、適正に補正されることになる。


【手続補正２４】
【補正対象書類名】明細書
【補正対象項目名】００９３
【補正方法】変更
【補正の内容】
【００９３】
特に、本願の特許請求の範囲における請求項３に記載された発明に係る非線形補正回路にあっては、ディジタル映像信号を形成する各画素対応セグメントに対応する画像表示部の表示画面における画素の水平方向及び垂直方向の位置が、表示画面上における複数の位置ブロックのうちの各画素が属する位置ブロック内の位置をもって検出されるとともに、各画素対応セグメントの信号レベルが、ディジタル映像信号についての複数のレベルブロックのうちの各画素対応セグメントの信号レベルが属するレベルブロック内のレベルをもって検出され、検出された位置ブロック内の位置及びレベルブロック内のレベルに応じて、ディジタル映像信号を形成する各画素対応セグメントに関する信号レベルについての三次元補正が行われるので、斯かる三次元補正が、比較的小規模とされる回路構成をもって容易にかつ精度良く行われることになる。


【手続補正２５】
【補正対象書類名】明細書
【補正対象項目名】００９４
【補正方法】変更
【補正の内容】
【００９４】
また、上述の如くに構成される本願の特許請求の範囲における請求項６から請求項９までのいずれかに記載された発明に係る画像表示装置によれば、上述の本願の特許請求の範囲における請求項１から請求項５までのいずれかに記載された発明に係る非線形補正回路が用いられ、斯かる非線形補正回路を構成する合成部から得られる、信号レベルについての非線形補正がなされたディジタル映像信号に基づく画像表示が画像表示部において行われるので、画像表示部において得られる表示画像は、画像表示部の表示画面における位置による表示特性の相違に起因する表示画面の不所望な変化のみならず、元の映像信号におけるレベル変動に起因して生じる、画像表示部に得られる表示画面の不所望な輝度変動や色度変動も、適正に補正されたものとされる。